(57)【要約】【課題】メディアに対する高精度な測定を実施可能な測定装置、印刷装置、及び測定方法を提供する。【解決手段】プリンターは、印刷面を有するメディアの印刷面の側の情報を測定する測色器と、測定器が測定を行う領域を有するメディアに対して、印刷面に沿った方向に張力を付与する第一移動保持板１６３及び第二移動保持板１６４と、を備える。【選択図】図５
2017121997.tif 000002
【特許請求の範囲】
【請求項１】
第一面を有するメディアの前記第一面の側の情報を測定する測定器と、
前記測定器が測定を行う領域を有する前記メディアに対して、前記第一面に沿った方向に張力を付与する張力付与手段と、を備える
ことを特徴とする測定装置。
【請求項２】
請求項１に記載の測定装置において、
前記測定器を第一方向に沿って移動させる第一移動手段を備え、
前記張力付与手段は、前記第一方向に沿って張力を付与する第一張力付与手段を含む
ことを特徴とする測定装置。
【請求項３】
請求項２に記載の測定装置において、
前記第一張力付与手段は、
前記メディアの前記第一面とは反対側の第二面を吸引する第一吸引部と、
前記第一吸引部を前記第一方向に沿って移動させる吸引部移動手段と、を備える
ことを特徴とする測定装置。
【請求項４】
請求項３に記載の測定装置において、
前記第一吸引部は、前記第一方向に沿って一対設けられ、
前記吸引部移動手段は、前記一対の第一吸引部の少なくともいずれか一方を、他方に対して離隔させて前記張力を前記メディアに付与する
ことを特徴とする測定装置。
【請求項５】
請求項４に記載の測定装置において、
前記吸引部移動手段は、前記一対の第一吸引部の双方を、互いに同量だけ離隔させて前記張力を前記メディアに付与する
ことを特徴とする測定装置。
【請求項６】
請求項３から請求項５のいずれか１項に記載の測定装置において、
前記第一吸引部は、前記メディアを保持する第一保持面と、前記第一保持面から前記第一吸引部を貫通するように設けられ、前記メディアを吸引する第一吸引孔とを備えている
ことを特徴とする測定装置。
【請求項７】
請求項３から請求項６のいずれか１項に記載の測定装置において、
前記吸引部移動手段は、
前記第一吸引部を前記第一方向に沿って付勢する付勢部材と、
前記第一吸引部を前記付勢部材の付勢方向とは反対側に移動させる移動機構と、を備える
ことを特徴とする測定装置。
【請求項８】
請求項２から請求項７のいずれか１項に記載の測定装置において、
前記張力付与手段は、前記第一方向に交差する第二方向に沿った張力を前記メディアに付与する第二張力付与手段を含む
ことを特徴とする測定装置。
【請求項９】
請求項８に記載の測定装置において、
前記第二張力付与手段は、前記第二方向に沿って前記メディアを搬送するローラーを有し、前記ローラーを動作させることにより前記第二方向に沿った張力を付与する
ことを特徴とする測定装置。
【請求項１０】
請求項１から請求項９のいずれか１項に記載の測定装置において、
前記測定器が測定を行う前記領域を保持する第二保持面に対して、前記メディアを密着させる密着手段を備える
ことを特徴とする測定装置。
【請求項１１】
請求項１０に記載の測定装置において、
前記密着手段は、前記メディアの前記第一面とは反対側の第二面における前記メディアの前記測定器が測定を行う領域を吸引する第二吸引部を備える
ことを特徴とする測定装置。
【請求項１２】
請求項１１に記載の測定装置において、
前記第二吸引部は、前記第二保持面から前記第二吸引部を貫通するように設けられて、前記メディアを吸引する第二吸引孔を備える
ことを特徴とする測定装置。
【請求項１３】
請求項１２に記載の測定装置において、
前記張力付与手段は、
前記メディアを保持する第一保持面、及び前記第一保持面に設けられて前記メディアを吸引する第一吸引孔を有する第一吸引部と、
前記第一吸引部を移動させる吸引部移動手段と、を備え、
前記第一吸引孔と前記第二吸引孔とは吸気路を介して連通している
ことを特徴とする測定装置。
【請求項１４】
請求項１３に記載の測定装置において、
前記第二吸引孔に連通する吸気経路の少なくとも一部を開閉する開閉部材を備え、
前記メディアに前記張力を付与する際に、前記開閉部材により前記吸気経路を閉塞し、前記測定器による測定を実施する際に、前記開閉部材により前記吸気経路を開放する
ことを特徴とする測定装置。
【請求項１５】
請求項１から請求項１４のいずれか１項に記載の測定装置と、
前記メディアに画像を印刷する印刷部と、を備える
ことを特徴とする印刷装置。
【請求項１６】
第一面を有するメディアの前記第一面の側の情報を測定器により測定する測定方法であって、
前記測定器が測定を行う領域を有する前記メディアに対して、前記第一面に沿った方向に張力を付与する張力付与ステップと、
前記領域を前記測定器により測定する測定ステップと、を実施する
ことを特徴とする測定方法。
【請求項１７】
請求項１６に記載の測定方法において、
前記メディアの前記測定器が測定を行う領域を保持する保持面に対して、前記メディアを密着させる密着ステップを含む
ことを特徴とする測定方法。
【請求項１８】
請求項１７に記載の測定方法において、
前記密着ステップは、前記張力付与ステップの後に実施され、
前記測定ステップは、前記密着ステップの後に実施される
ことを特徴とする測定方法。
【発明の詳細な説明】
【技術分野】
【０００１】
本発明は、測定装置、印刷装置、及び測定方法等に関する。
【背景技術】
【０００２】
従来、メディアに画像を印刷するプリンターにおいて、メディアを保持するプラテンに吸引機構を設け、吸引機構によりメディアをプラテン側に吸引させる構成が知られている（例えば、特許文献１参照）。
特許文献１に記載の装置は、プラテンの上面に設けられたプラテン面に多数の吸引孔が設けられている。これらの吸引孔は、プラテン内部に設けられた吸引通路に連通し、吸引通路に連通する連通口に吸引ダクトが設けられている。そして、吸引ダクトに吸気ファンが設けられ、この吸気ファンを駆動させることで、吸引孔から空気が吸引される。これにより、プラテンの上部を搬送されるメディアが、プラテン面に吸引されながら搬送される。
【先行技術文献】
【特許文献】
【０００３】
【特許文献１】特開２０１０−２０１６８３号公報
【発明の概要】
【発明が解決しようとする課題】
【０００４】
ところで、メディアに設けられたカラーパッチに対して、測定器をメディアの幅方向に沿って走査させて測色を行う等、メディアに対する走査測定を行う場合がある。このような走査測定（例えば測色）では、メディアに対して光源からの光を照射し、メディアで反射（又は透過）された光を受光部で受光する。この場合、メディアに僅かな皺やうねり等があると、反射光の方向が変動し、測定値に誤差が生じて測定精度が低下してしまう。
上記特許文献１に記載のプリンターでは、メディアを吸引することで平坦性を維持しているものの、メディアを吸引しながら搬送するものであるため、メディア搬送と吸引力とのバランスを調整する必要がある。このため、吸引力をある程度抑制する必要があり、メディアの平坦性が十分に確保できず、走査測定を実施する際に高い測定精度が得られないとの課題がある。
【０００５】
本発明は、メディアに対する高精度な測定を実施可能な測定装置、印刷装置、及び測定方法を提供することを目的とする。
【課題を解決するための手段】
【０００６】
本発明に係る一適用例の測定装置は、第一面を有するメディアの前記第一面の側の情報を測定する測定器と、前記測定器が測定を行う領域を有する前記メディアに対して、前記第一面に沿った方向に張力を付与する張力付与手段と、を備えることを特徴とする。
【０００７】
本適用例では、張力付与手段は、メディアに対して第一面に沿った張力を付与する。このため、メディアに凹凸がある場合でも、当該凹凸が張力によって引き伸ばされることで、メディアを平坦に保持することができ、また、その平坦性は、単に保持面に吸引する場合に比べて高くなる。よって、測定器によるメディアの測定（メディアの第一面の側の情報を測定）する際に、高い精度で測定を実施することができる。
【０００８】
本適用例の測定装置において、前記測定器を第一方向に沿って移動させる第一移動手段を備え、前記張力付与手段は、前記第一方向に沿って張力を付与する第一張力付与手段を含むことが好ましい。
本適用例では、第一移動手段により測定器を第一方向に沿って移動させることで、メディアに対して、第一方向に沿った走査測定を実施することができる。このような第一方向に沿った走査測定の際に、第一方向に沿って皺やうねりがあると、測定精度が低下する。これに対して、本適用例では、第一張力付与手段により第一方向に沿った張力が付与されるので、特に、第一方向に沿った凹凸（皺やうねり）を張力により改善でき、メディアを第一方向に沿って高い平坦性で保持することができる。これにより、第一方向に沿った走査測定の測定精度を向上させることができる。
【０００９】
本適用例の測定装置において、前記第一張力付与手段は、前記メディアの前記第一面とは反対側の第二面を吸引する第一吸引部と、前記第一吸引部を前記第一方向に沿って移動させる吸引部移動手段と、を備えることが好ましい。
本適用例では、第一吸引部によりメディアを吸引した上で、吸引部移動手段により第一吸引部を第一方向に沿って移動させることでメディアに張力を付与する。第一吸引部によりメディアを吸引する構成とすることで、メディアの一部を第一吸引部に密着させることができる。そして、当該第一吸引部を第一方向に移動させることで、その移動量に伴う張力が付与されて、メディアを引っ張り、皺やうねりによる凹凸を引き延ばして平坦にすることができる。
また、メディアの一部を固定し、その固定部位を移動させる場合、移動量によっては、張力が大きすぎてメディアが破損する場合がある。これに対して、本適用例では、メディアを吸引して密着させる構成なので、第一吸引部の移動量が大きくても、メディアを第一吸引部に対して摺動させることが可能となるので、過剰な張力によってメディアが破損する等の不都合を抑制できる。
【００１０】
本適用例の測定装置において、前記第一吸引部は、前記第一方向に沿って一対設けられ、前記吸引部移動手段は、前記一対の第一吸引部の少なくともいずれか一方を、他方に対して離隔させて前記張力を前記メディアに付与することが好ましい。
本適用例では、一対の第一吸引部のいずれか一方を他方に対して離隔させることでメディアに張力を付与する。
第一吸引部を用いてメディアに張力を付与する方法として、メディアの一部を例えばクリップ等の固定部材で固定し、メディアの第一吸引部に吸引された部位を移動させる構成としてもよいが、例えばクリップを駆動させて、メディアを挟み込む駆動機構を別途設ける必要があり、構成の複雑化を招く。これに対して、本適用例のように、一対の第一吸引部を設け、これらの第一吸引部の少なくとも一方を移動させる構成では、第一吸引部の吸引機構を共通化することができ、構成の簡略化を図れる。
【００１１】
本適用例の測定装置において、前記吸引部移動手段は、前記一対の第一吸引部の双方を、互いに同量だけ離隔させて前記張力を前記メディアに付与することが好ましい。
本適用例では、一対の第一吸引部を互いに離隔する方向に同量だけ移動させることでメディアに張力を付与するので、メディアの位置ずれを抑制できる。つまり、一対の第一吸引部の一方のみを移動させる場合、メディアが第一吸引部の移動方向にずれるおそれがある。一対の第一吸引部の移動量が異なる場合でも、移動量が多い方にメディアがずれる場合がある。これに対して本適用例では、一対の第一吸引部を互いに離隔する方向に同量だけ移動させるので、メディアの位置ずれを抑制でき、測定器による測定を阻害することがなく、高精度な測定を実施できる。
【００１２】
本適用例の測定装置において、前記第一吸引部は、前記メディアを保持する第一保持面と、前記第一保持面から前記第一吸引部を貫通するように設けられ、前記メディアを吸引する第一吸引孔とを備えていることが好ましい。
本適用例では、第一吸引部が第一保持面と、第一保持面を貫通して設けられた第一吸引孔とを備えている。このような構成では、第一吸引孔から空気を吸引することで、メディアを第一保持面に吸引して保持させることができる。
【００１３】
本適用例の測定装置において、前記吸引部移動手段は、前記第一吸引部を前記第一方向に沿って付勢する付勢部材と、前記第一吸引部を前記付勢部材の付勢方向とは反対側に移動させる移動機構と、を備えることが好ましい。
なお、付勢部材による付勢方向は、張力の付与方向であってもよく、張力の付与方向とは異なる方向であってもよい。前者の場合、予め移動機構により第一吸引部を付勢方向とは反対側の所定位置に移動させておく。そして、メディアに張力を付与する際に、第一吸引部にメディアを吸引させて、移動機構の動力を解除する。これにより、付勢部材の付勢力によって第一吸引部が張力の付与方向に付勢されて移動し、メディアに張力が付与される。
また、後者の場合、メディアへの張力の付与前において、第一吸引部が付勢部材の付勢力によって所定の初期位置に位置決めされており、メディアに張力を付与する際に、第一吸引部にメディアを吸引させて、移動機構を駆動させて第一吸引部を移動させ、メディアに張力を付与する。
上記のような本適用例では、第一吸引部の移動機構を簡略化でき、簡素な構成で、メディアの平坦性を高めることができる。
【００１４】
本適用例の測定装置において、前記張力付与手段は、前記第一方向に交差する第二方向に沿った張力を前記メディアに付与する第二張力付与手段を含むことが好ましい。
本適用例では、張力付与手段は、第二方向に沿った張力をメディアに付与する第二張力付与手段を更に含む。このため、メディアに第二方向に沿った凹凸がある場合でも、第二張力付与手段により付与される張力によって、凹凸が引き伸ばされる。これにより、メディアの平坦性をより高めることができ、より高精度にメディアに対する測定を実施できる。
【００１５】
本適用例の測定装置において、前記第二張力付与手段は、前記第二方向に沿って前記メディアを搬送するローラーを有し、前記ローラーを動作させることにより前記第二方向に沿った張力を付与することが好ましい。
本適用例では、メディアを搬送するローラーによって第二方向に沿った張力を付与する。これにより、メディアを搬送する搬送機構とは別に張力を付与する機構を設ける場合に比べて、構成の簡略化を図れる。
【００１６】
本適用例の測定装置において、前記測定器が測定を行う前記領域を保持する第二保持面に対して、前記メディアを密着させる密着手段を備えることが好ましい。
本適用例では、密着手段によって、メディアの測定が実施される領域（測定領域）が第二保持面に保持される。このため、測定器による測定を実施する際に、上記のような張力付与手段によりメディアが引き伸ばされた状態で、メディアの測定領域を第二保持面に保持させることで、メディアの平坦性が高度に維持された状態で測定領域を保持することができ、測定器による測定を高精度に実施することができる。
【００１７】
本適用例の測定装置において、前記密着手段は、前記メディアの前記第一面とは反対側の第二面における前記メディアの前記測定器が測定を行う領域を吸引する第二吸引部を備えることが好ましい。
本適用例では、密着手段は、第二吸引部によってメディアの測定領域を吸引することで、当該測定領域を第二保持面に保持する。このような構成では、メディアの第二面側を吸引する構成であるため、第一面側に別途部材を設ける必要がなく、測定器によるメディアの測定が阻害されず、効率的に測定を実施できる。
【００１８】
本適用例の測定装置において、前記第二吸引部は、前記第二保持面から前記第二吸引部を貫通するように設けられて、前記メディアを吸引する第二吸引孔を備えることが好ましい。
本適用例では、第二吸引部は、第二保持面を貫通する第二吸引孔を有する。このため、第二吸引孔から空気を吸引することで、空気とともにメディアが吸引されてメディアを第二保持面に保持させることができる。
【００１９】
本適用例の測定装置において、前記張力付与手段は、前記メディアを保持する第一保持面、及び前記第一保持面に設けられて前記メディアを吸引する第一吸引孔を有する第一吸引部と、前記第一吸引部を移動させる吸引部移動手段と、を備え、前記第一吸引孔と前記第二吸引孔とは吸気路を介して連通している
ことが好ましい。
本適用例では、張力付与手段は、上述したような第一保持面及び第一吸引孔を有する第一吸引部と、吸引部移動手段とを備えており、第一吸引孔と第二吸引孔とが吸気路を介して連通している。このため、吸気路に吸気機構（例えばファン等）を設けることで、第一吸引部及び第二吸引部の双方を駆動させてメディアを第一保持面及び第二保持面に吸引させることができる。よって、第一吸引孔及び第二吸引孔のそれぞれに対して吸気機構を設ける場合に比べて、構成の簡略化を図れる。
【００２０】
本適用例の測定装置において、前記第二吸引孔に連通する吸気経路の少なくとも一部を開閉する開閉部材を備え、前記メディアに前記張力を付与する際に、前記開閉部材により前記吸気経路を閉塞し、前記測定器による測定を実施する際に、前記開閉部材により前記吸気経路を開放することが好ましい。
本適用例では、第二吸引孔に連通する吸気経路の少なくとも一部を開閉する開閉部材が設けられている。よって、メディアに張力を付与する際には、第二吸引孔に連通する吸気経路を閉塞することで、第一吸引部のみにメディアに吸引させて、第一吸引部の移動により張力を付与することができる。つまり、張力を付与する際に、メディアが第二保持面に密着されていると、メディアに皺や撓みやうねり等の凹凸がある状態で第二保持面に密着されて、張力による凹凸の引き伸ばしが困難となる。これに対して、上記構成により、張力を付与する際には、メディアが第二保持面に密着されていないため、好適に凹凸を引き延ばして平坦面にすることができる。
また、測定を実施する際には、開閉部材を開放して、第二吸引孔からメディアを吸引して第二保持面に密着させることで、上記のように張力により平坦面にされたメディアが第二保持面に保持されることになり、測定精度の向上を図れる。
【００２１】
本発明に係る一適用例の印刷装置は、上述したような測定装置と、前記メディアに画像を印刷する印刷部と、を備えることを特徴とする。
本適用例では、印刷部により印刷を実施する印刷装置に上記のような測定装置が設けられている。このため、印刷部によってメディアに印刷された画像を、メディアを移動させることなく測定装置により測定することができる。
【００２２】
本発明に係る一適用例の測定方法は、第一面を有するメディアの前記第一面の側の情報を測定器により測定する測定方法であって、前記測定器が測定を行う領域を有する前記メディアに対して、前記第一面に沿った方向に張力を付与する張力付与ステップと、前記領域を前記測定器により測定する測定ステップと、を実施することを特徴とする。
本適用例では、張力付与ステップにより、メディアに対して第一面に沿った張力を付与するので、メディアに凹凸がある場合でも、当該凹凸が張力に引き伸ばされて高い平坦性で保持されることになる。このため、測定器によるメディアの測定を実施する際に、高い精度で測定を実施することができる。
【００２３】
本適用例の測定方法において、前記メディアの前記測定器が測定を行う領域を保持する保持面に対して、前記メディアを密着させる密着ステップを含むことが好ましい。
本適用例では、密着ステップによってメディアの測定領域が保持面に保持される。よって、測定領域の凹凸の発生を抑えることができ、測定精度の向上を図れる。
【００２４】
本適用例の測定方法において、前記密着ステップは、前記張力付与ステップの後に実施され、前記測定ステップは、前記密着ステップの後に実施されることが好ましい。
本適用例では、張力付与ステップの後に密着ステップを実施するので、メディアは、張力によって引き伸ばされ平坦となった状態で保持面に密着される。よって、例えば密着ステップの後に張力付与ステップを実施する場合に比べて、メディアの平坦性を高めることができる。また、密着ステップの後に測定ステップを実施するので、平坦に維持されたメディアの測定領域に対して測定を行うことができる。
【図面の簡単な説明】
【００２５】
【図１】本発明に係る一実施形態のプリンター１の概略構成を示す図。
【図２】本実施形態の測色器の構成を示す概略図。
【図３】本実施形態の光学フィルターデバイスの概略構成を示す断面図。
【図４】本実施形態のプラテンの概略構成を示す断面斜視図。
【図５】本実施形態のプラテンをキャリッジ側から見た際の概略を示す図。
【図６】本実施形態のプラテンのＸ方向に沿った断面の一部、及び、第一吸引部移動手段及び第二吸引部移動手段の概略を示す図。
【図７】本実施形態のプリンターの制御ユニットに含まれるＣＰＵの機能構成を示したブロック図。
【図８】本実施形態のプリンターにおける測色処理を示すフローチャート。
【図９】本実施形態において、メディアのＹ方向への張力付与を説明するための概略図。
【図１０】本実施形態において、第一移動保持板及び第二移動保持板を移動させた状態を示す図。
【図１１】本実施形態の変形例におけるプラテンの概略構成を示す図。
【図１２】本実施形態の更に他の変形例におけるプラテンの概略構成を示す図。
【図１３】本実施形態の更に他の変形例におけるプラテンの概略構成を示す図。
【図１４】本実施形態の更に他の変形例におけるプラテンの概略構成を示す断面図。
【図１５】本実施形態の更に他の変形例におけるプラテンの概略構成を示す図。
【発明を実施するための形態】
【００２６】
以下、本発明に係る一実施形態について、図面に基づいて説明する。本実施形態では、本発明の印刷装置の一例として、測定装置を備えたプリンター１（インクジェットプリンター）について、以下説明する。
【００２７】
［プリンターの概略構成］
図１は、本実施形態のプリンター１の概略構成を示す図である。
図１に示すように、プリンター１は、供給ユニット１１、搬送ユニット１２と、キャリッジ１３と、キャリッジ移動ユニット１４（本発明の第一移動手段）と、制御ユニット１５と、プラテン１６と、を備えている。このプリンター１は、例えばパーソナルコンピューター等の外部機器２０から入力された印刷データに基づいて、各ユニット１１，１２，１４、及びキャリッジ１３を制御し、メディアＡの印刷面Ａ１（キャリッジに対向する第一面）上に画像を印刷する。また、本実施形態のプリンター１は、予め設定された校正用印刷データに基づいて印刷面Ａ１の所定位置に測色用のカラーパッチを形成し、かつ当該カラーパッチに対する分光測定を行う。これにより、プリンター１は、カラーパッチに対する実測値と、校正用印刷データとを比較して、印刷されたカラーに色ずれがあるか否か判定し、色ずれがある場合は、実測値に基づいて色補正を行う。本実施形態では、上記分光測定において、搬送ユニット１２によりプラテン１６上にメディアＡを搬送し、プラテン１６上で、メディアＡに張力を付与してメディアＡの皺や撓み、うねり等を引き伸ばして平坦面とする。そして、平坦面となったメディアＡに対してキャリッジ１３に設けられた測色器１７を用いて、分光測定を実施する。
以下、プリンター１の各構成について具体的に説明する。
【００２８】
供給ユニット１１は、画像形成対象となるメディアＡ（本実施形態では、紙面を例示）を、画像形成位置に供給するユニットである。この供給ユニット１１は、図示は省略するが、例えばメディアＡが巻装されたロール体、ロール駆動モーター、及びロール駆動輪列等により構成される。そして、制御ユニット１５からの指令に基づいて、ロール駆動モーターが回転駆動され、ロール駆動モーターの回転力がロール駆動輪列を介してロール体に伝達されることで、ロール体に巻装された紙面がＹ方向（副走査方向；本発明の第二方向）における下流側（＋Ｙ方向）に供給される。
なお、本実施形態では、供給ユニットとしては上記構成に限定されず、例えば、トレイ等に積載された紙面等のメディアＡをローラー等によって例えば１枚ずつ供給する等、如何なる供給方法によってメディアＡが供給されてもよい。
【００２９】
搬送ユニット１２は、供給ユニット１１から供給されたメディアＡを、Ｙ方向に沿って搬送する。この搬送ユニット１２は、搬送ローラー１２１と、排出ローラー１２２とを含んで構成されている。
搬送ローラー１２１は、第一駆動ローラー１２１Ａと、第一駆動ローラー１２１ＡとメディアＡを挟んで配置される第一従動ローラー１２１Ｂとを備える。第一駆動ローラー１２１Ａは、図示略のモーターからの駆動力が伝達されることで回転駆動されて、第一従動ローラー１２１Ｂとの間にメディアＡを挟み込んだ状態で、メディアＡをＹ方向に沿って搬送する。
【００３０】
また、搬送ローラー１２１のＹ方向の下流側（＋Ｙ側）には、キャリッジ１３に対向するプラテン１６が設けられている。このプラテン１６は、副走査方向（Ｙ方向）に搬送されたメディアＡの印刷面Ａ１とは反対側の面（裏面Ａ２；図６参照）に当接し、メディアＡを保持する。なお、裏面Ａ２は、本発明の第二面に相当する。
このプラテン１６の詳細な説明については後述する。
【００３１】
排出ローラー１２２は、プラテン１６の下流側に設けられており、第二駆動ローラー１２２Ａと、第二駆動ローラー１２２ＡとメディアＡを挟んで配置される第二従動ローラー１２２Ｂとを備える。第二駆動ローラー１２２Ａは、図示略のモーターからの駆動力が伝達されることで回転駆動されて、第二従動ローラー１２２Ｂとの間にメディアＡを挟み込んだ状態で、メディアＡをＹ方向に沿って搬送（排出）する。
そして、本実施形態における搬送ユニット１２は、上記搬送ローラー１２１及び排出ローラー１２２の駆動が制御されることで、メディアＡに対してＹ方向に沿った張力を付与する。すなわち、搬送ユニットは、本発明の張力付与手段の一部を構成し、かつ、本発明の第二張力付与手段を構成する。
【００３２】
キャリッジ１３は、メディアＡの印刷面Ａ１に対して画像を印刷する印刷部１８と、印刷面Ａ１の所定の測定位置の分光測定を行う測色器１７とを備えている。
このキャリッジ１３は、キャリッジ移動ユニット１４によって、Ｙ方向と交差する主走査方向（Ｘ方向；本発明の第一方向）に沿って移動可能に設けられている。
また、キャリッジ１３は、例えばフレキシブル回路等により制御ユニット１５に接続され、制御ユニット１５からの指令に基づいて、印刷部１８による印刷処理（印刷面Ａ１に対する画像形成処理）及び、測色器１７による分光測定を実施する。
なお、キャリッジ１３の詳細な構成については後述する。
【００３３】
キャリッジ移動ユニット１４は、制御ユニット１５からの指令に基づいて、キャリッジ１３をＸ方向に沿って往復移動させる。
このキャリッジ移動ユニット１４は、例えば、Ｘ方向に沿ったキャリッジガイド軸１４１を備え、キャリッジガイド軸１４１に沿って、キャリッジ１３を移動させる。
キャリッジ移動ユニット１４の具体的な構成としては、キャリッジ１３をＸ方向に沿って移動させる構成であればいかなる構成であってもよい。例えばＸ構成に略平行に支持されたタイミングベルトを、キャリッジモーターにより駆動させることで、タイミングベルトの一部に固定されたキャリッジが駆動される構成等が例示できる。
【００３４】
次に、キャリッジ１３に設けられる印刷部１８、及び測色器１７の構成について説明する。
［印刷部（画像形成部）の構成］
印刷部１８は、メディアＡと対向して設けられ、複数色のインクをそれぞれ個別に印刷面Ａ１に吐出して画像を形成する。
この印刷部１８は、複数色のインクに対応したインクカートリッジが着脱自在に装着されており、各インクカートリッジからインクタンク（図示略）にチューブ（図示略）を介してインクが供給される。また、印刷部１８の下面（印刷面Ａ１に対向する位置）には、インク滴を吐出するノズル（図示略）が、各色に対応して設けられている。これらのノズルには、例えばピエゾ素子が配置されており、ピエゾ素子を駆動させることで、インクタンクから供給されたインク滴が吐出されて印刷面Ａ１に着弾し、ドットが形成される。
【００３５】
［測色器の構成］
図２は、測色器１７の構成を示す概略図である。
測色器１７は、本発明の測定器を構成し、図２に示すように、光源部１７１と、光学フィルターデバイス１７２と、受光部１７３と、導光部１７４と、を備えている。
この測色器１７は、測色規格（JIS Z 8722）により規定された光学的幾何条件における（０°：４５°ｘ）の方式に従って分光測定を実施する。すなわち、メディアＡに対して法線方向から光源部１７１からの照明光を照射する。そして、メディアＡ上の測定位置で４５°で反射された光成分を、導光部１７４により光学フィルターデバイス１７２に入射させる。そして、光学フィルターデバイス１７２は、この反射光から所定波長の光を出射（透過）させて、受光部１７３により受光させる。また、光学フィルターデバイス１７２は、制御ユニット１５の制御に基づいて、透過波長を選択可能であり、可視光における各波長の光の光量を測定することで、メディアＡ上の測定位置Ｒの分光測定が可能となる。
なお、（０°：４５°ｘ）の方式に限られず、例えば（４５°：０°ｘ）の方式に従って分光測定を実施する構成としてもよい。つまり、メディアＡに対して、４５°の角度から照明光を入射させ、メディアＡの法線方向に反射した光を測定するものであってもよい。
また、本実施形態では、Ｘ方向に沿って光源部１７１及び受光部１７３が並ぶ構成を例示するが、これに限定されず、Ｙ方向に沿って光源部１７１及び受光部１７３が並ぶ構成としてもよく、ＸＹ方向に対して交差する方向に沿って光源部１７１及び受光部１７３が並ぶ構成としてもよい。
【００３６】
［光源部の構成］
図２に示すように、光源部１７１は、光源１７１Ａと、照明側レンズ１７１Ｂと、を備えている。
この光源部１７１では、光源１７１Ａから出射された光を、照明側レンズ１７１Ｂを介して測定対象に照射する。照明側レンズ１７１Ｂは、例えば複数のレンズにより構成することができる。このような照明側レンズ１７１Ｂとしては、例えばインテグレータ光学系を例示できる、インテグレータ光学系を用いる場合では、光源１７１Ａからの光の光量分布を面内略均一とし、かつ光の照射範囲を拡大してメディアＡに照射することが可能となる。
【００３７】
［光学フィルターデバイスの構成］
図３は、光学フィルターデバイス１７２の概略構成を示す断面図である。
光学フィルターデバイス１７２は、筐体６と、筐体６の内部に収納された波長可変干渉フィルター５（分光素子）とを備えている。
【００３８】
（波長可変干渉フィルターの構成）
波長可変干渉フィルター５は、波長可変型のファブリーペローエタロン素子であり、図３に示すように、透光性の固定基板５１及び可動基板５２を備え、これらの固定基板５１及び可動基板５２が、接合膜５３により接合されることで、一体的に構成されている。
固定基板５１は、エッチングにより形成された第一溝部５１１、及び第一溝部５１１より溝深さが浅い第二溝部５１２を備えている。そして、第一溝部５１１には、固定電極５６１が設けられ、第二溝部５１２には、固定反射膜５４が設けられている。
固定電極５６１は、例えば第二溝部５１２を囲う環状に形成されており、可動基板５２に設けられた可動電極５６２に対向する。
固定反射膜５４は、例えばＡｇ等の金属膜、Ａｇ合金等の合金膜、高屈折層及び低屈折層を積層した誘電体多層膜、又は、金属膜（合金膜）と誘電体多層膜を積層した積層体により構成されている。
【００３９】
可動基板５２は、可動部５２１と、可動部５２１の外に設けられ、可動部５２１を保持する保持部５２２とを備えている。
可動部５２１は、保持部５２２よりも厚み寸法が大きく形成されている。この可動部５２１は、固定電極５６１の外周縁の径寸法よりも大きい径寸法に形成されており、可動部５２１の固定基板５１に対向する面に、可動電極５６２及び可動反射膜５５が設けられている。
可動電極５６２は、固定電極５６１に対向する位置に設けられている。
可動反射膜５５は、固定反射膜５４に対向する位置に、ギャップＧを介して配置されている。この可動反射膜５５としては、上述した固定反射膜５４と同一の構成の反射膜を用いることができる。
【００４０】
保持部５２２は、可動部５２１の周囲を囲うダイアフラムであり、可動部５２１よりも厚み寸法が小さく形成されている。このような保持部５２２は、可動部５２１よりも撓みやすく、僅かな静電引力により、可動部５２１を固定基板５１側に変位させることが可能となる。これにより、固定反射膜５４及び可動反射膜５５の平行度を維持した状態で、ギャップＧのギャップ寸法を変更することが可能となる。
なお、本実施形態では、ダイアフラム状の保持部５２２を例示するが、これに限定されず、例えば、平面中心点を中心として、等角度間隔で配置された梁状の保持部が設けられる構成などとしてもよい。
また、可動基板５２の外周部（固定基板５１に対向しない領域）には、固定電極５６１や可動電極５６２と個別に接続された複数の電極パッド５７が設けられている。
【００４１】
（筐体の構成）
筐体６は、図３に示すように、ベース６１と、ガラス基板６２と、を備えている。これらのベース６１及びガラス基板６２は、例えばガラスフリット（低融点ガラス）を用いた低融点ガラス接合、エポキシ樹脂等による接着などを利用でき、これにより、内部に収容空間が形成され、この収容空間内に波長可変干渉フィルター５が収納される。
【００４２】
ベース６１は、例えば薄板上にセラミックを積層することで構成され、波長可変干渉フィルター５を収納可能な凹部６１１を有している。波長可変干渉フィルター５は、ベース６１の凹部６１１の例えば側面に固定材６４により固定されている
ベース６１の凹部６１１の底面には、光通過孔６１２が設けられている。この光通過孔６１２は、波長可変干渉フィルター５の反射膜５４，５５と重なる領域を含むように設けられている。また、ベース６１のガラス基板６２とは反対側の面には、光通過孔６１２を覆うカバーガラス６３が接合されている。
【００４３】
また、ベース６１には、波長可変干渉フィルター５の電極パッド５７に接続される内側端子部６１３が設けられており、この内側端子部６１３は、導通孔６１４を介して、ベース６１の外側に設けられた外側端子部６１５に接続されている。この外側端子部６１５は、制御ユニット１５に電気的に接続されている。
【００４４】
［受光部及び導光光学系の構成］
図２に戻り、受光部１７３は、波長可変干渉フィルター５の光軸上に配置され、当該波長可変干渉フィルター５を透過した光を受光する。そして、受光部１７３は、制御ユニット１５の制御に基づいて、受光量に応じた受光信号（電流値）を出力する。なお、受光部１７３により出力された受光信号は、Ｉ−Ｖ変換器（図示略）、増幅器（図示略）、及びＡＤ変換器（図示略）を介して制御ユニット１５に入力される。
導光部１７４は、反射鏡１７４Ａと、バンドパスフィルター１７４Ｂとを備えている。
この導光部１７４は、測定位置Ｒで、メディアＡの表面に対して４５°で反射された光を反射鏡１７４Ａにより、波長可変干渉フィルター５の光軸上に反射させる。バンドパスフィルター１７４Ｂは、可視光域（例えば３８０ｎｍ〜７２０ｎｍ）の光を透過させ、紫外光及び赤外光の光をカットする。これにより、波長可変干渉フィルター５には、可視光域の光が入射されることになり、受光部１７３において、可視光域における波長可変干渉フィルター５により選択された波長の光が受光される。
【００４５】
［プラテンの構成］
図４は、プラテン１６の概略構成を示す断面斜視図である。図５は、プラテン１６をキャリッジ１３側から見た際の概略を示す図である。なお、図５では、説明の便宜上、供給側端部１６５、メディア保持面１６６Ａの一部を省略して表示している。
プラテン１６は、搬送ユニット１２により搬送されたメディアＡを保持する部材である。また、プラテン１６は、搬送されたメディアＡに対してＸ方向に沿った張力を付与し、本発明における張力付与手段の一部を構成するとともに、本発明における第一張力付与手段を構成する。このプラテン１６は、プラテン本体部１６１と、プラテン本体部１６１に載置される中央保持板１６２と、中央保持板１６２の＋Ｘ側に設けられた第一移動保持板１６３と、中央保持板１６２の−Ｘ側に設けられた第二移動保持板１６４（図５参照）と、を備えている。
また、プラテン本体部１６１は、供給側端部１６５と、メディア保持部１６６と、吸気室１６７と、吸気室１６７に連通する集気室１６８と、集気室１６８と連通するダクト１６９とを備えている。
【００４６】
（供給側端部及びメディア保持部の構成）
供給側端部１６５には、搬送ローラー１２１の第一駆動ローラー１２１Ａが配置されるローラー溝１６５Ａが設けられている。
メディア保持部１６６は、供給側端部１６５の＋Ｙ側に連続して設けられており、搬送ローラー１２１により搬送されたメディアＡの裏面Ａ２を保持するメディア保持面１６６Ａを有する。また、メディア保持部１６６は、下流側（＋Ｙ側）に開口部１６６Ｂが設けられている。この開口部１６６Ｂは、例えばＸ方向に沿った一対の辺、Ｙ方向に沿った一対の辺を有する平面視矩形状に形成され、各保持板１６２，１６３，１６４（中央保持板１６２、第一移動保持板１６３、及び第二移動保持板１６４）を保持する。
【００４７】
図６は、プラテン１６のＸ方向に沿った断面の一部、及び、第一移動保持板１６３と第二移動保持板１６４の移動機構の概略を示す図である。ここで、図６（Ａ）は、第一移動保持板１６３及び第二移動保持板１６４が中央保持板１６２側に移動した位置を示す図であり、図６（Ｂ）は、第一移動保持板１６３及び第二移動保持板１６４が互いに離隔方向に移動した位置を示す図である。なお、図６では、説明の便宜上、各保持板１６２，１６３，１６４に設けられる貫通孔（後述）は図示していない。
上述した開口部１６６Ｂには、開口内周面の全周又は一部に亘って、板支持部１６６Ｃが開口内側に向かって突出している。具体的には、各保持板１６２，１６３，１６４（中央保持板１６２、第一移動保持板１６３、及び第二移動保持板１６４）は、それぞれ同一厚み寸法を有しており、板支持部１６６Ｃは、メディア保持面１６６Ａからの距離が上記保持板１６２，１６３，１６４の厚み寸法となる位置に設けられる。
より詳細には、板支持部１６６Ｃは、開口部１６６Ｂの±Ｘ側端部に設けられ、Ｙ方向に延びるＸ側板支持部１６６Ｃ１（図４、６参照）と、開口部１６６Ｂの±Ｙ側端部に設けられ、Ｘ方向に延びるＹ側板支持部１６６Ｃ２（図４参照）とを有する。
Ｘ側板支持部１６６Ｃ１の突出寸法は、Ｙ側板支持部１６６Ｃ２の突出寸法ｘａよりも大きい。より具体的には、図６（Ａ）に示すように、Ｘ側板支持部１６６Ｃ１の突出寸法ｘａは、第一移動保持板１６３及び第二移動保持板１６４のＸ方向の移動量ｘｍ以上となる。
【００４８】
（吸気室１６７の構成）
吸気室１６７は、メディア保持部１６６の＋Ｚ側に設けられ、底面部１６７Ｃ、正面部１６７Ｄ、背面板１６７Ｅ、側面部１６７Ｆ、メディア保持部１６６、及び各保持板１６２，１６３，１６４により構成される。
底面部１６７Ｃは、開口部１６６Ｂに対向する第一底面１６７Ｃ１と、第一底面１６７Ｃ１の−Ｙ側に設けられて第一底面１６７Ｃ１よりもメディア保持面１６６Ａからの距離が長い第二底面１６７Ｃ２を有する。なお、本実施形態では、底面部１６７Ｃが、第一底面１６７Ｃ１と、第二底面１６７Ｃ２をと有する構成を例示するが、段差が設けられず平坦な底面であってもよい。
【００４９】
正面部１６７Ｄは、底面部１６７Ｃの＋Ｙ側において第一底面１６７Ｃ１からメディア保持部１６６まで立ち上がる。
背面板１６７Ｅは、底面部１６７Ｃの−Ｙ側において、第二底面１６７Ｃ２からメディア保持部１６６まで立ち上がる。この背面板１６７Ｅには、多数の吸気貫通孔１６７Ｅ１が、背面板１６７Ｅを貫通して設けられている。これらの吸気貫通孔１６７Ｅ１は、例えば、背面板１６７ＥのＺ方向における中心位置よりも＋Ｚ側に設けられており、後述する集気室１６８に連通している。
また、背面板１６７Ｅのうち、Ｘ方向の中央部（後述する第一部分吸気室１６７Ｂ１に対応した背面板１６７Ｅ）には、シャッター１６７Ｅ２（本発明の開閉部材）が設けられている。このシャッター１６７Ｅ２は、第一部分吸気室１６７Ｂ１と集気室１６８とを連通する吸気貫通孔１６７Ｅ１の開閉を行うシャッターであり、例えば、Ｚ方向に対して進退可能となる。
なお、本実施形態では、シャッター１６７Ｅ２をＺ方向に移動させる例を示すが、Ｘ方向に沿って移動可能な構成などとしてもよい。シャッター１６７Ｅ２についての詳細な説明は後述する。
側面部１６７Ｆは、吸気室１６７の±Ｘ側端部からメディア保持部１６６まで立ち上がる。側面部１６７Ｆは、図４，６に示すように、Ｘ側板支持部１６６Ｃ１と一体化していてもよい。
そして、吸気室１６７は、上述したような底面部１６７Ｃと、正面部１６７Ｄと、背面板１６７Ｅと、側面部１６７Ｆと、天面側（−Ｚ側）に配置されたメディア保持部１６６、各保持板１６２，１６３，１６４とに囲われた箱型の空間となる。
【００５０】
また、吸気室１６７には、底面部１６７Ｃからメディア保持部１６６まで立ち上がる、Ｙ方向に沿った一対のリブ１６７Ａが設けられている。これらのリブ１６７Ａの上面（−Ｚ側面）は、板支持部１６６Ｃの上面と一致し、リブ１６７Ａ及び板支持部１６６Ｃの上面により各保持板１６２，１６３，１６４の下面（＋Ｚ側面）が支持されることで、各保持板１６２，１６３，１６４の上面がメディア保持面１６６Ａと同一平面となる。
【００５１】
吸気室１６７は、一対のリブ１６７Ａ（＋Ｘ側の第一リブ１６７Ａ１及び−Ｘ側の第二リブ１６７Ａ２）により、Ｘ方向に沿った３つの部分吸気室１６７Ｂに分割される。ここで、Ｘ方向中央に位置する部分吸気室１６７Ｂを第一部分吸気室１６７Ｂ１、＋Ｘ側に設けられる部分吸気室１６７Ｂを第二部分吸気室１６７Ｂ２、−Ｘ側に設けられる部分吸気室１６７Ｂを第三部分吸気室１６７Ｂ３と称する。
これらの部分吸気室１６７Ｂは、それぞれ開口部１６６Ｂと連通しており、第一部分吸気室１６７Ｂ１に対応する開口部１６６Ｂには、中央保持板１６２が固定される。つまり、中央保持板１６２は、一対のリブ１６７Ａと、開口部１６６ＢのＹ側板支持部１６６Ｃ２における一対のリブ１６７Ａ間の領域とにより支持され、接合（固定）されている。
【００５２】
また、第二部分吸気室１６７Ｂ２に対応する開口部１６６Ｂには、第一移動保持板１６３がＸ方向に移動可能に支持される。つまり、第一移動保持板１６３は、第一リブ１６７Ａ１と、Ｙ側板支持部１６６Ｃ２の＋Ｘ側領域と、＋Ｘ側に位置するＸ側板支持部１６６Ｃ１とにより支持されている。ここで、図６（Ａ）に示すように、第一リブ１６７Ａ１は、上面の−Ｘ側領域に中央保持板１６２が固定され、＋Ｘ側領域（Ｘ方向に沿う幅寸法ｘｂ）に第一移動保持板１６３が移動可能に支持される。ここで、幅寸法ｘｂは、第一移動保持板１６３のＸ方向の移動量ｘｍ以上となる。
同様に、第三部分吸気室１６７Ｂ３に対応する開口部１６６Ｂには、第二移動保持板１６４がＸ方向に移動可能に支持される。つまり、第二移動保持板１６４は、第二リブ１６７Ａ２と、Ｙ側板支持部１６６Ｃ２の−Ｘ側領域と、−Ｘ側に位置するＸ側板支持部１６６Ｃ１とにより支持されている。ここで、図６（Ａ）に示すように、−Ｘ側に位置されたリブ１６７Ａは、上面の＋Ｘ側領域に中央保持板１６２が固定され、−Ｘ側領域（Ｘ方向に沿う幅寸法ｘｂ）に第二移動保持板１６４が移動可能に支持される。ここで、幅寸法ｘｂは、第二移動保持板１６４のＸ方向の移動量ｘｍ以上となる。
【００５３】
（中央保持板の構成）
中央保持板１６２は、上述のように、第一部分吸気室１６７Ｂ１に対応した開口部１６６Ｂを覆って固定されている。この中央保持板１６２は、メディアＡに対する分光測定を実施する際に、メディアＡを保持する部材であり、本発明の第二吸引部に相当し、メディアＡを保持する中央保持面１６２Ａ（本発明における第二保持面）を有する。
この中央保持板１６２は、図４、５に示すように、中央保持面１６２Ａから、中央保持板１６２の板厚み方向を貫通する複数の中央吸引孔１６２Ｂ（本発明における第二吸引孔）を備えている。これらの中央吸引孔１６２Ｂは、第一部分吸気室１６７Ｂ１に連通し、後述するダクト１６９から空気が吸引されることで、中央保持面１６２Ａ上のメディアＡを空気とともに吸引し、メディアＡが中央保持面１６２Ａに密着される。すなわち、中央吸引孔１６２Ｂにより、本発明の密着手段が構成される。
【００５４】
ところで、中央保持板１６２に対応する第一部分吸気室１６７Ｂ１には、上述したように、背面板１６７Ｅにシャッター１６７Ｅ２が設けられている。
このシャッター１６７Ｅ２は、例えば、図４、５等に示すように、背面板１６７Ｅに対してＺ方向に移動可能に設けられている。シャッター１６７Ｅ２の移動機構としては、例えば、シャッター１６７Ｅ２のＺ方向の移動をガイドするガイド部材と、シャッター１６７Ｅ２を初期位置（例えば吸気貫通孔１６７Ｅ１を閉塞する位置）に戻すバネ等の付勢部材と、シャッター１６７Ｅ２を−Ｚ側に移動させるソレノイドと、を備える構成が挙げられる。また、ソレノイドに限定されず、各種アクチュエーターやモーター駆動力を用いた移動機構としてもよい。
このようなシャッター１６７Ｅ２が設けられていることで、中央保持板１６２の中央吸引孔１６２Ｂからの空気（メディアＡ）の吸引を切り替えることができる。すなわち、メディアＡの搬送時等の分光測定を実施する前においては、中央吸引孔１６２Ｂに連通する吸気経路である背面板１６７Ｅの吸気貫通孔１６７Ｅ１を、シャッター１６７Ｅ２により閉塞し、分光測定時において、シャッター１６７Ｅ２を移動させて吸気貫通孔１６７Ｅ１を開放することが可能となる。
【００５５】
（第一移動保持板の構成）
第一移動保持板１６３は、第二部分吸気室１６７Ｂ２に対応した開口部１６６Ｂを覆って設けられている。つまり、第一移動保持板１６３は、中央保持板１６２の＋Ｘ側に配置されている。
この第一移動保持板１６３は、本発明の第一吸引部に相当し、本発明の第一張力付与手段を構成する。第一移動保持板１６３は、メディアＡを保持する第一移動保持面１６３Ａ（本発明における第一保持面）を有する。
この第一移動保持板１６３は、図４、５に示すように、第一移動保持面１６３Ａから、当該第一移動保持板１６３の板厚み方向を貫通する複数の側部吸引孔１６３Ｂ（本発明における第一吸引孔）を備えている。これらの側部吸引孔１６３Ｂは、第二部分吸気室１６７Ｂ２に連通し、後述するダクト１６９から空気が吸引されることで、第一移動保持面１６３Ａ上のメディアＡを空気とともに吸引する。
【００５６】
また、第一移動保持板１６３の第一移動保持面１６３Ａとは反対側で第二部分吸気室１６７Ｂ２に臨む面には、第一移動保持板１６３をＸ方向に移動させる第一吸引部移動手段１６３Ｃ（本発明における吸引部移動手段）が設けられている。
この第一吸引部移動手段１６３Ｃは、第一移動保持板１６３をＸ方向に移動させる構成であれば、いかなる構成が採られていてもよい。ただし、第一移動保持板１６３の第一移動保持面１６３Ａ上にメディアＡを保持させるため、第一移動保持面１６３Ａ側に第一吸引部移動手段１６３Ｃの構成部材が突出しない構成とする必要がある。このような構成の一例として、図６に示すような構成が挙げられる。
【００５７】
すなわち、図６に示す第一吸引部移動手段１６３Ｃは、＋Ｘ側の側面部１６７Ｆに設けられ、可動芯１６３Ｃ２が第一移動保持板１６３に接続されるソレノイド１６３Ｃ１（本発明の移動機構）を備える。また、第一吸引部移動手段１６３Ｃは、第一移動保持板１６３の−Ｘ側に設けられた＋Ｚ側に突出するピン１６３Ｃ３と、第一リブ１６７Ａ１との間を接続する付勢部材１６３Ｃ４とを備える。
【００５８】
付勢部材１６３Ｃ４は、引張ばね等により構成されており、第一移動保持板１６３を−Ｘ側に付勢する。これにより、ソレノイド１６３Ｃ１に電流が入力されていない状態において、第一移動保持板１６３は、−Ｘ側に位置して中央保持板１６２に当接する。また、ソレノイド１６３Ｃ１はプル型ソレノイドであり、電流が入力されると、可動芯１６３Ｃ２を吸引して第一移動保持板１６３を＋Ｘ側に移動量ｘｍだけ移動させる。ソレノイド１６３Ｃ１に電流が入力されている間、可動芯１６３Ｃ２が吸引され続けるため、第一移動保持板１６３は＋Ｘ側の移動量ｘｍだけ移動した状態で維持する。そして、ソレノイド１６３Ｃ１への電流入力が停止されると、上記のように付勢部材１６３Ｃ４の付勢力によって、第一移動保持板１６３は−Ｘ側に移動する。
なお、上記例ではソレノイド１６３Ｃ１をプル型ソレノイドとし、付勢部材１６３Ｃ４の付勢力の方向が−Ｘ側としたが、これに限定されず、ソレノイド１６３Ｃ１をプッシュ型ソレノイドとし、付勢部材１６３Ｃ４を＋Ｘ側に付勢力を付与する圧縮ばね等を用いてもよい。また、ソレノイド１６３Ｃ１と、付勢部材１６３Ｃ４の位置を逆転させてもよい。
【００５９】
（第二移動保持板の構成）
第二移動保持板１６４は、第三部分吸気室１６７Ｂ３に対応した開口部１６６Ｂを覆って設けられている。つまり、第二移動保持板１６４は、中央保持板１６２の−Ｘ側に配置されている。この第二移動保持板１６４は、本発明の第一吸引部に相当し、第一移動保持板１６３とともに本発明の第一張力付与手段を構成する。そして、第二移動保持板１６４は、メディアＡを保持する第二移動保持面１６４Ａ（本発明における第一保持面）を有する。
第二移動保持板１６４の具体的な構成は、第一移動保持板１６３と同様であり、図５に示すように、第二移動保持面１６４Ａから、第二移動保持板１６４の板厚み方向を貫通する複数の側部吸引孔１６４Ｂ（本発明における第一吸引孔）を備える。これらの側部吸引孔１６４Ｂは、第三部分吸気室１６７Ｂ３に連通し、後述するダクト１６９から空気が吸引されることで、第二移動保持面１６４Ａ上のメディアＡを空気とともに吸引する。
【００６０】
また、第二移動保持板１６４の第二移動保持面１６４Ａとは反対側で第三部分吸気室１６７Ｂ３に臨む面には、第二移動保持板１６４をＸ方向に移動させる第二吸引部移動手段１６４Ｃ（本発明における吸引部移動手段）が設けられている。
本実施形態では、メディアＡを平坦にする際に、第一移動保持板１６３の移動量と同量だけ、第二移動保持板１６４を移動させる。よって、この第二吸引部移動手段１６４Ｃとしては、第一吸引部移動手段１６３Ｃと同様の構成とすることが好ましい。
つまり、図６に示すように、第二吸引部移動手段１６４Ｃは、第一吸引部移動手段１６３Ｃと同様、ソレノイド１６４Ｃ１（移動機構）と、付勢部材１６４Ｃ４とを備える。ソレノイド１６４Ｃ１は、−Ｘ側の側面部１６７Ｆに設けられ、第二移動保持板１６４に接続された可動芯１６４Ｃ２を−Ｘ側に移動させるプル型ソレノイドである。また、第二移動保持板１６４の＋Ｘ側には、＋Ｚ側に突出するピン１６４Ｃ３が設けられ、付勢部材１６４Ｃ４は、当該ピン１６４Ｃ３と第二リブ１６７Ａ２との間に接続され、第二移動保持板１６４を＋Ｘ側に付勢する。
なお、ここでは、第一吸引部移動手段１６３Ｃと第二吸引部移動手段１６４Ｃとを略同一の構成とする例を示したが、これに限定されない。例えば第一吸引部移動手段１６３Ｃとして、ソレノイド１６３Ｃ１及び付勢部材１６３Ｃ４により第一移動保持板１６３を移動させる構成とし、第二吸引部移動手段１６４Ｃをローラー駆動力等によって第二移動保持板１６４を移動させる構成としてもよい。
【００６１】
（集気室及びダクトの構成）
集気室１６８は、吸気室１６７の例えば−Ｙ側（供給側端部１６５の＋Ｚ側）に設けられている。具体的には、集気室１６８は、背面板１６７Ｅと、集気室底面１６８Ａと、集気室底面１６８Ａから供給側端部１６５まで立ち上がる側壁１６８Ｂと、供給側端部１６５とにより囲われる空間により構成されている。
この集気室１６８は、背面板１６７Ｅに設けられた吸気貫通孔１６７Ｅ１を介して吸気室１６７と連通している。言い換えると、第一部分吸気室１６７Ｂ１、第二部分吸気室１６７Ｂ２、及び第三部分吸気室１６７Ｂ３は、集気室１６８を吸引路として連通している。つまり、第一移動保持板１６３に設けられた側部吸引孔１６３Ｂ、第二移動保持板１６４に設けられた側部吸引孔１６４Ｂ、及び中央保持板１６２に設けられた中央吸引孔１６２Ｂは、吸気路である集気室１６８において連通している。
また、集気室１６８の集気室底面１６８Ａには、ダクト１６９の一端が接続されている。このダクト１６９の他端は、プリンター１の外部に連通する排気口（図示略）となっており、当該排気口には、吸気ファン１６９Ａ（図５参照）が固定されている。
なお、本実施形態では、集気室１６８にダクト１６９が設けられ、ダクト１６９に吸気ファン１６９Ａが設けられる構成を例示したが、集気室１６８に吸気ファンが設けられる構成などとしてもよい。
【００６２】
［制御ユニットの構成］
制御ユニット１５は、図１に示すように、Ｉ／Ｆ１５１と、ユニット制御回路１５２と、メモリ１５３と、ＣＰＵ（Central Processing Unit）１５４と、を含んで構成されている。
Ｉ／Ｆ１５１は、外部機器２０から入力される印刷データをＣＰＵ１５４に入力する。
ユニット制御回路１５２は、供給ユニット１１、搬送ユニット１２、印刷部１８、光源１７１Ａ、波長可変干渉フィルター５、受光部１７３、キャリッジ移動ユニット１４、プラテン１６の各駆動部材（吸気ファン１６９Ａ、第一吸引部移動手段１６３Ｃ、第二吸引部移動手段１６４Ｃ、及びシャッター１６７Ｅ２）をそれぞれ制御する制御回路を備えており、ＣＰＵ１５４からの指令信号に基づいて、各ユニットの動作を制御する。なお、各ユニットの制御回路が、制御ユニット１５とは別体に設けられ、制御ユニット１５に接続されていてもよい。
【００６３】
メモリ１５３は、プリンター１の動作を制御する各種プログラムや各種データが記憶されている。
各種データとしては、例えば、波長可変干渉フィルター５を制御する際の、静電アクチュエーター５６への印加電圧に対する、波長可変干渉フィルター５を透過する光の波長を示したＶ−λデータ、印刷データとして含まれる色データに対する各インクの吐出量を記憶した印刷プロファイルデータ等が挙げられる。また、光源１７１Ａの各波長に対する発光特性や、受光部１７３の各波長に対する受光特性（受光感度特性）等が記憶されていてもよい。
【００６４】
図７は、プリンター１の制御ユニット１５に含まれるＣＰＵ１５４の機能構成を示したブロック図である。
ＣＰＵ１５４は、メモリ１５３に記憶された各種プログラムを読み出し実行することで、図７に示すように、走査制御手段１５４Ａ、印刷制御手段１５４Ｂ、測定制御手段１５４Ｃ、測色演算手段１５４Ｄ、及びキャリブレーション手段１５４Ｅ等として機能する。
【００６５】
走査制御手段１５４Ａは、供給ユニット１１、搬送ユニット１２、及びキャリッジ移動ユニット１４を駆動させる旨の指令信号をユニット制御回路１５２に出力する。これにより、ユニット制御回路１５２は、供給ユニット１１のロール駆動モーターを駆動させて、メディアＡを搬送ユニット１２に供給させる。また、ユニット制御回路１５２は、搬送ユニット１２の搬送モーターを駆動させて、メディアＡの所定領域をプラテン１６のキャリッジ１３に対向する位置まで、Ｙ方向に沿って搬送させる。また、ユニット制御回路１５２は、キャリッジ移動ユニット１４のキャリッジモーター１４２を駆動させて、キャリッジ１３をＸ方向に沿って移動させる。
【００６６】
印刷制御手段１５４Ｂは、例えば外部機器２０から入力された印刷データに基づいて、印刷部１８を制御する旨の指令信号をユニット制御回路１５２に出力する。印刷制御手段１５４Ｂからユニット制御回路１５２に指令信号が出力されると、ユニット制御回路１５２は、印刷部１８に印刷制御信号を出力し、ノズルに設けられたピエゾ素子を駆動させてメディアＡに対してインクを吐出させる。なお、印刷を実施する際は、キャリッジ１３がＸ方向に沿って移動されて、その移動中に印刷部１８からインクを吐出させてドットを形成するドット形成動作と、メディアＡをＹ方向に搬送する搬送動作とを交互に繰り返し、複数のドットから構成される画像をメディアＡに印刷する。
【００６７】
測定制御手段１５４Ｃは、分光測定を実施する。具体的には、測定制御手段１５４Ｃは、光源１７１Ａを制御するための指令信号をユニット制御回路１５２に出力し、光源１７１Ａから光を出射させる。また、測定制御手段１５４Ｃは、波長可変干渉フィルター５を透過させる光の波長に対する静電アクチュエーター５６への駆動電圧を、メモリ１５３のＶ−λデータから読み出し、ユニット制御回路１５２に指令信号を出力する。これにより、ユニット制御回路１５２は、波長可変干渉フィルター５に指令された駆動電圧を印加し、波長可変干渉フィルター５から所望の透過波長の光が透過される。
そして、測定制御手段１５４Ｃは、静電アクチュエーター５６に印加した電圧（若しくは当該電圧に対応する波長可変干渉フィルター５を透過する光の波長）と関連付けてメモリ１５３に記憶する。
【００６８】
さらに、測定制御手段１５４Ｃは、分光測定時において、搬送ユニット１２の駆動制御、ダクト１６９の吸気ファン１６９Ａの駆動制御、第一移動保持板１６３及び第二移動保持板１６４の移動制御、シャッター１６７Ｅ２の移動制御を行い、測定対象のメディアＡを平坦に維持する。
【００６９】
測色演算手段１５４Ｄは、分光測定により得られた複数波長の光に対する受光量に基づいて、測定位置Ｒに対する色度を測定する。
キャリブレーション手段１５４Ｅは、測色演算手段１５４Ｄによる測色結果に基づいて、印刷プロファイルデータを補正（更新）する。
【００７０】
［分光測定方法］
次に、本実施形態のプリンター１における測色処理について、図面に基づいて説明する。
図８は、プリンター１における測色処理を示すフローチャートである。
ここでは、プリンター１による測色処理として、例えば印刷部１８により印刷された複数のカラーパッチに対する測色処理を実施する例を説明する。
本例の測色処理は、例えばユーザー操作や外部機器２０からの入力により、測色処理を実施する旨の指令を受け付ける（ステップＳ１）。ステップＳ１にて指令が受け付けられると、走査制御手段１５４Ａは、搬送ユニット１２を制御して、カラーパッチが配置されたライン上に、測色器の測定位置Ｒが位置するようにメディアＡをＹ方向に沿って搬送させる（ステップＳ２）。なお、初期状態において、キャリッジ１３は、ホーム位置に位置しているものとする。
【００７１】
そして、測定制御手段１５４Ｃは、搬送ユニット１２によりメディアＡが搬送されると、先ず、シャッター１６７Ｅ２により、吸気貫通孔１６７Ｅ１を閉塞し（ステップＳ３）、吸気ファン１６９Ａを駆動させる（ステップＳ４）。これにより、第一移動保持板１６３の側部吸引孔１６３Ｂ及び第二移動保持板１６４の側部吸引孔１６４Ｂから、空気とともにメディアＡのＸ方向における両端部が吸引される。この際、シャッター１６７Ｅ２により、中央吸引孔１６２Ｂの吸気経路が閉塞されているので、中央保持板１６２にはメディアＡが吸着されない。
【００７２】
次に、測定制御手段１５４Ｃは、第一吸引部移動手段１６３Ｃ及び第二吸引部移動手段１６４Ｃを制御して、第一移動保持板１６３及び第二移動保持板１６４を同時に、かつそれぞれ離隔する方向に、同量だけ移動させる（ステップＳ５）。
具体的には、第一移動保持板１６３及び第二移動保持板１６４を、図５及び図６（Ａ）に示すような初期位置から、図６（Ｂ）に示すような位置に移動させる。つまり、第一移動保持板１６３を＋Ｘ側に移動量ｘｍだけ移動させ、第二移動保持板１６４を−Ｘ側に移動量ｘｍだけ移動させる。
【００７３】
ステップＳ５により、メディアＡに対してＸ方向に沿った張力が付与される。よって、図６（Ａ）にように、メディアＡにＸ方向に沿った皺や撓みやうねり等の凹凸がある場合でも、図６（Ｂ）に示すように、当該凹凸が引き伸ばされてメディアＡが平坦となる。
この際、メディアＡは、側部吸引孔１６３Ｂ，１６４Ｂにより吸引されることで第一移動保持板１６３や第二移動保持板１６４に吸引されており、第一移動保持板１６３や第二移動保持板１６４に対して摺動可能に位置決めされている。よって、第一移動保持板１６３や第二移動保持板１６４の移動量ｘｍが大きい場合でも、メディアＡが第一移動保持板１６３や第二移動保持板１６４に対して摺動することで、メディアＡの破損が抑制される。
また、このステップＳ５は、中央吸引孔１６２ＢでのメディアＡの吸引が行われない。つまり、中央吸引孔１６２ＢでメディアＡが吸引されていると、メディアＡに皺や撓みやうねり等の凹凸がある状態で、当該メディアＡが中央保持板１６２に密着される。このため、メディアＡに張力を付与した際に、十分にメディアＡの凹凸を引き延ばせないおそれがある。これに対して、中央吸引孔１６２ＢでのメディアＡの吸引を行わない状態で、張力を付与することで、メディアＡの皺や撓みやうねり等の凹凸を好適に引き延ばすことができる。
さらに、第一移動保持板１６３と第二移動保持板１６４との移動量ｘｍが同一であり、移動方向が互いに反対となるため、メディアＡがＸ方向に沿って引っ張られた場合でも、メディアＡの位置変動を抑制できる。
【００７４】
また、測定制御手段１５４Ｃは、搬送ユニット１２の搬送ローラー１２１及び排出ローラー１２２を制御して、メディアＡに対してＹ方向の張力を付与する（ステップＳ６）。つまり、本実施形態では、ステップＳ５及びステップＳ６により、本発明の張力付与ステップが実施される。
図９は、Ｙ方向への張力付与を説明するための概略図である。
図９に示すように、本実施形態では、測定制御手段１５４Ｃは、搬送ローラー１２１によりメディアＡを上流側（−Ｙ側）に搬送させるよう、また、排出ローラー１２２によりメディアＡを下流側（＋Ｙ側）に搬送させるように、搬送ユニット１２を制御する。この際、搬送ローラー１２１による搬送量及び排出ローラー１２２による搬送量が同量となるように制御する。例えば搬送ローラー１２１及び排出ローラー１２２のローラー径寸法が同寸法である場合は、同一角度だけ回転させる。これにより、メディアＡのＹ方向への位置ずれを抑制できる。
なお、本実施形態では、図９に示すように、搬送ローラー１２１及び排出ローラー１２２の双方を駆動させる例を示すがこれに限定されない。例えば、搬送ローラー１２１を停止させた状態で、第一駆動ローラー１２１Ａと第一従動ローラー１２１ＢとでメディアＡを挟み込んで位置決めし、排出ローラー１２２のみを駆動させてＹ方向に沿った張力を付与してもよい。また、排出ローラー１２２を停止させて、搬送ローラー１２１を駆動させてもよい。
このようなステップＳ６の処理を実施することで、メディアＡに対してＹ方向に沿った凹凸がある場合でも、当該凹凸が引き伸ばされて平坦とすることができ、メディアＡの平坦性を更に高めることが可能となる。
【００７５】
図１０は、プラテン１６において、第一移動保持板１６３及び第二移動保持板１６４を移動させ、かつシャッター１６７Ｅ２により吸気貫通孔１６７Ｅ１を開放した状態を示す図である。
ステップＳ８の後、測定制御手段１５４Ｃは、シャッター１６７Ｅ２を移動させ、図１０に示すように、吸気貫通孔１６７Ｅ１を開放する（ステップＳ７；密着ステップ）。これにより、吸気貫通孔１６７Ｅ１を介して中央吸引孔１６２Ｂから空気とともにメディアＡが吸引され、メディアＡが中央保持板１６２に密着される。この際、ステップＳ５及びステップＳ６によって、メディアＡの凹凸が引き伸ばされて、メディアＡの平坦性が高度に維持されているので、メディアＡが良好に中央保持板１６２に密着される。
【００７６】
この後、走査制御手段１５４Ａは、キャリッジ１３を＋Ｘ側に移動させる（ステップＳ８）。ここで、キャリッジ１３は、例えば等速直線運動によりＸ方向に移動される。したがって、キャリッジ１３の移動速度と、移動開始からの経過時間により、測色器１７による測定位置Ｒの位置は容易に算出することが可能となる。
そして、測定制御手段１５４Ｃは、算出された測定位置Ｒが、中央保持板１６２上に保持されたメディアＡのカラーパッチ上に移動したか否かを判定する（ステップＳ９）。ステップＳ９によりＮｏと判定された場合は、ステップＳ７に戻り、キャリッジ１３の移動を継続する。
一方、ステップＳ９によりＹｅｓと判定された場合、測定制御手段１５４Ｃは、光源１７１Ａを点灯させ、カラーパッチに対する分光測定を実施する（ステップＳ１０；測定ステップ）。
この分光測定では、測定制御手段１５４Ｃは、メモリ１５３に記憶されたＶ−λデータに基づいて、波長可変干渉フィルター５の静電アクチュエーター５６に駆動電圧を順次切り替え、例えば４００ｎｍから７００ｎｍの可視光域における２０ｎｍ間隔となる１６バンドの測定波長に対する測定値を測定する。
【００７７】
その後、測定制御手段１５４Ｃは、未測定のカラーパッチがあるか否か判定する（ステップＳ１１）。
ステップＳ１１においてＹｅｓと判定された場合、測定制御手段１５４Ｃは、吸気ファン１６９Ａの駆動を停止させて（ステップＳ１２）、ステップＳ２に戻る。そして、走査制御手段１５４Ａは、搬送ユニット１２を制御して、測色器１７における測定位置Ｒを次のカラーパッチに対応したラインまでメディアＡを搬送させ、印刷面Ａ１上のカラーパッチに対する分光測定を実施する。
【００７８】
ステップＳ１１においてＮｏと判定された場合は、測定制御手段１５４Ｃは、吸引ファン１６９Ａを停止させて（ステップＳ１３）、光源１７１Ａを消灯させる（ステップＳ１４）。
この後、制御ユニット１５の測色演算手段１５４Ｄは、メモリ１５３に記憶された校正基準値と、各カラーパッチに対する測定値とに基づいて、測色処理を実施する（ステップＳ１５）。具体的には、測色演算手段１５４Ｄは、各カラーパッチの各測定波長に対する測定値と、予め測定しておいた校正基準物（例えば白色板等）の測定値（校正基準値）に基づいて、各カラーパッチの各測定波長に対する反射率を算出し、算出された反射率に基づいて、測色値（例えばＸＹＺ値、Ｌ＊ａ＊ｂ＊値等）を算出し、メモリ１５３に記憶する。また、キャリブレーション手段１５４Ｅは、各カラーパッチの測色結果に基づいて、メモリ１５３に記憶された印刷プロファイルデータを更新する。
【００７９】
［本実施形態の作用効果］
本実施形態のプリンター１では、メディアＡの印刷面Ａ１における測色を行う測色器１７と、メディアＡに対して印刷面Ａ１に沿った張力を付与した状態でメディアＡを保持するプラテン１６と、を備えている。
このような構成では、メディアＡに対して第一面に沿った張力が付与されることで、メディアＡに皺や撓み、うねり等による凹凸がある場合でも、当該凹凸を張力によって引き伸ばして平坦にすることができる。ここで、メディアＡをプラテン１６側に吸引するだけでもある程度の平坦性を確保することができるが、この場合、皺等がある状態でプラテン１６に吸引されることもあり、十分な平坦性を確保できない。これに対して、本実施形態では、上述のように、メディアＡに対して張力を付与することで、高い平坦性を確保することができ、僅かな凹凸によって測定精度に影響がでる分光測定（測色）において、高い測定精度での測定を行うことができる。
【００８０】
本実施形態では、測色器１７が搭載されたキャリッジ１３をＸ方向に沿って移動させるキャリッジ移動ユニット１４を備えており、メディアＡは、Ｘ方向に沿った張力が付与されてプラテン１６に保持される。
本実施形態では、キャリッジ１３をＸ方向に移動させながら、測色器１７による分光測定を行う走査測定を実施する。この際、走査方向であるＸ方向に張力が付与されるので、Ｘ方向に沿って皺や撓み、うねり等の凹凸が存在すると、走査測定の測定精度が低下する。これに対し、本実施形態では、上述のようにメディアＡにＸ方向に沿った張力を付与するので、Ｘ方向に沿った凹凸を張力により好適に改善でき、走査測定の測定精度を向上できる。
【００８１】
本実施形態では、プラテン１６は、メディアＡを吸引する第一移動保持板１６３と、第一移動保持板１６３をＸ方向に沿って移動させる第一吸引部移動手段１６３Ｃとを備える。
このような構成では、第一移動保持板１６３にメディアを吸引させた上で、第一吸引部移動手段１６３Ｃにより第一移動保持板１６３をＸ方向に沿って移動させることでメディアに張力を付与する。この際、メディアＡは、第一移動保持板１６３に吸引されるので、第一移動保持板１６３の移動量が大きすぎた場合でも、メディアＡが第一移動保持板１６３の表面を滑ることで、メディアＡに過剰な張力が加わることがなく、メディアＡの破損を抑制できる。
【００８２】
本実施形態では、上記第一移動保持板１６３に加えて第二移動保持板１６４を備え、この第二移動保持板１６４が第一移動保持板１６３とは反対側に移動されることで、メディアＡに張力が付与される。
第一移動保持板１６３のみでメディアＡに張力を付与する場合、第一移動保持板１６３の移動量を大きくする必要がある。これに対して、本実施形態では、第一移動保持板１６３と、第二移動保持板１６４とを備え、これらの双方を互いに離隔する方向に移動させる。このような構成では、第一移動保持板１６３及び第二移動保持板１６４のそれぞれの移動量を小さくできる。
また、メディアＡの−Ｘ側をクリップ等の固定部材により固定して第一移動保持板１６３を＋Ｘ側に移動させてメディアＡに張力を付与することも考えられるが、この場合、クリップ等の固定部材によりメディアＡを固定する構造が複雑化する。これに対して、本実施形態のように、メディアＡを吸引する第二移動保持板１６４を設けることで、構成の簡略化を図れる。
【００８３】
本実施形態では、第一移動保持板１６３及び第二移動保持板１６４を互いに離隔する方向に同じ移動量ｘｍだけ移動させる。
これにより、メディアＡは、＋Ｘ側と−Ｘ側に同じ力で引っ張られるので、メディアＡに作用する張力が釣り合い、メディアＡの移動（位置ずれ）を抑制できる。よって、中央保持板１６２に保持されたメディアＡの測定領域がＸ方向のずれを抑制でき、測色器１７による分光測定を阻害することなく、高精度な測定を実施できる。
【００８４】
本実施形態では、第一移動保持板１６３は、第一移動保持面１６３Ａを有し、この第一移動保持面１６３Ａから、第一移動保持板１６３を貫通する側部吸引孔１６３Ｂを備えている。
このような構成では、側部吸引孔１６３Ｂから空気とおもにメディアＡを吸引することで、メディアＡを第一移動保持板１６３に密着及び保持させることができ、構成の簡略化を図れる。
第二移動保持板１６４についても同様であり、第二移動保持面１６４Ａから第二移動保持板１６４を貫通する側部吸引孔１６４Ｂが設けられており、側部吸引孔１６４Ｂから空気とともにメディアＡを吸引する。よって、メディアＡを第二移動保持板１６４に簡素な構成で密着及び保持させることができる。
【００８５】
本実施形態では、第一吸引部移動手段１６３Ｃは、第一移動保持板１６３を−Ｘ側に付勢する付勢部材１６４Ｃ４と、第一移動保持板１６３を、＋Ｘ側に移動させるソレノイド１６３Ｃ１とを備えている。
このような構成では、簡素な構成で第一移動保持板１６３を移動させることができる。なお、第二吸引部移動手段１６４Ｃにおいても同様である。
【００８６】
本実施形態では、搬送ユニット１２の搬送ローラー１２１及び排出ローラー１２２により、メディアＡに対してＹ方向に沿った張力を付与する。
このため、メディアＡにＹ方向に沿った凹凸がある場合でも、上記構成によって凹凸を引き延ばして平坦にすることができ、メディアＡの平坦性をより高めることができ、より高精度にメディアＡに対する分光測定を実施できる。
また、このような搬送ユニット１２を用いてメディアＡに対してＹ方向の張力を付与できるので、別途Ｙ方向への張力を付与するための構成を不要にでき、構成の簡略化を図れる。
【００８７】
本実施形態では、測色器１７による測色を行う領域を保持する中央保持面１６２Ａを有する中央保持板１６２を備え、中央保持板１６２にメディアＡを吸引することで、メディアＡを中央保持面１６２Ａに密着させる。
このため、メディアＡに対して張力を付与して平坦にした上で、メディアＡを中央保持板１６２に密着させることができ、メディアＡの測定領域（カラーパッチが形成される領域）の平坦性をより高めることができ、より高精度な分光測定を行うことができる。
また、中央保持板１６２にメディアＡを吸引して密着させる構成であるため、メディアＡの印刷面Ａ１側に例えばメディアＡをプラテン１６側に押圧する押圧部材等を設ける必要がない。つまり、測色器１７による分光測定を行う際の阻害となる構成がなく、効率よく分光測定を実施できる。
【００８８】
本実施形態では、中央保持板１６２は、中央保持面１６２Ａから中央保持板１６２を貫通する中央吸引孔１６２Ｂを有し、空気とともにメディアＡを吸引してメディアＡを中央保持面１６２Ａに密着させる。これにより、簡素な構成で、メディアＡを中央保持板１６２に密着させることができる。
【００８９】
本実施形態において、中央吸引孔１６２Ｂと、側部吸引孔１６３Ｂ，１６４Ｂとは、集気室１６８を介して連通している。このため、集気室１６８に接続されたダクト１６９の吸気ファン１６９Ａを駆動させると、中央吸引孔１６２Ｂ及び側部吸引孔１６３Ｂ，１６４Ｂから空気とともにメディアＡを吸引することができる。このような構成とすることで、中央吸引孔１６２Ｂと、側部吸引孔１６３Ｂと、側部吸引孔１６４Ｂとのそれぞれに対応した吸気ファンを設ける構成に比べて構成の簡略化、及び省エネルギー化を図ることができる。
【００９０】
本実施形態において、中央吸引孔１６２Ｂに連通する第一部分吸気室１６７Ｂ１の背面板１６７Ｅには、集気室１６８と連通する吸気貫通孔１６７Ｅ１と、これらの吸気貫通孔１６７Ｅ１を開閉するシャッター１６７Ｅ２とを備えている。
このため、中央吸引孔１６２ＢにおけるメディアＡの吸引を、シャッター１６７Ｅ２による吸気貫通孔１６７Ｅ１の開閉により制御することができる。
つまり、張力付与ステップにおいて、メディアＡの測定領域が中央保持板１６２に密着されていると、張力を付与する際に、密着力が抵抗になって凹凸の引き伸ばしが適切に行われず、メディアＡの平坦度が低下するおそれがある。これに対して、シャッター１６７Ｅ２により吸気貫通孔１６７Ｅ１を閉塞することで、メディアＡの測定領域に上記のような抵抗が係らず、張力によって好適に凹凸を引き延ばすことができる。
また、測定ステップの前に密着ステップを実施して、シャッター１６７Ｅ２により吸気貫通孔１６７Ｅ１を開放し、メディアＡの測定領域を中央保持板１６２に吸引させると、張力によって平坦にされたメディアＡを中央保持板１６２に密着させることになる。また、メディアＡを、平坦面である中央保持面１６２Ａに密着させることで、メディアＡの浮きを抑えられるので、平坦性を更に高めることができる。これにより、測定ステップにおいて、より高精度な分光測定を実施することが可能となる。
【００９１】
また、本実施形態では、プリンター１は、印刷部１８を備えており、印刷部１８によってメディアＡに印刷された画像を、メディアＡを移動させることなく測色器１７により測定することができる。
【００９２】
［その他の実施形態］
なお、本発明は上述の各実施形態に限定されるものではなく、本発明の目的を達成できる範囲での変形、改良、及び各実施形態を適宜組み合わせる等によって得られる構成は本発明に含まれるものである。
【００９３】
上記実施形態では、集気室１６８にダクト１６９が設けられ、当該ダクト１６９に設けられた吸気ファン１６９Ａを駆動させることで、各吸引孔１６２Ｂ，１６３Ｂ，１６４ＢからメディアＡを吸引する構成を例示した。
これに対して、集気室１６８に排気口が設けられ、当該排気口に吸気ファンが設けられる構成としてもよい。また、吸気ファン１６９Ａにより空気を吸引する構成例を示したが、例えばポンプ等によって空気を吸引する構成などとしてもよい。
【００９４】
また、図１１に示すような構成としてもよい。
図１１は、本実施形態の変形例のプラテンの概略構成を示す図である。図１１において、供給側端部１６５及びメディア保持面１６６Ａの図示は省略している。
つまり、図１１に示すプラテン１６Ａのように、第一部分吸気室１６７Ｂ１に対応した第一集気室１６８Ｃ１、第二部分吸気室１６７Ｂ２に対応した第二集気室１６８Ｃ２、及び第三部分吸気室１６７Ｂ３に対応した第三集気室１６８Ｃ３が設けられる構成としてもよい。これらの各集気室１６８Ｃ１，１６８Ｃ２，１６８Ｃ３は連通されておらず、それぞれ独立している。この場合、第一集気室１６８Ｃ１に第一吸気ファン１６８Ｄ１を設け、第二集気室１６８Ｃ２に第二吸気ファン１６８Ｄ２を設け、第三集気室１６８Ｃ３に第三吸気ファン１６８Ｄ３を設ける。
このような構成では、第一吸気ファン１６８Ｄ１の駆動を制御することで、シャッター１６７Ｅ２を設けることなく、中央吸引孔１６２ＢにおけるメディアＡの吸引を制御することができる。また、第一吸気ファン１６８Ｄ１の回転数を制御すれば、メディアＡを吸引する吸引力も制御することができる。
さらに、第二吸気ファン１６８Ｄ２及び第三吸気ファン１６８Ｄ３を制御することで、側部吸引孔１６３Ｂ及び側部吸引孔１６４Ｂでの吸引力を制御することも可能となる。
【００９５】
図１２は、本実施形態の更に他の変形例におけるプラテン１６Ｂの概略構成を示す図である。
上記実施形態では、背面板１６７Ｅの第一部分吸気室１６７Ｂ１に対応する部位にのみシャッター１６７Ｅ２を設ける構成としたが、例えば図１２に示すプラテン１６Ｂのように、各部分吸気室１６７Ｂ１，１６７Ｂ２，１６７Ｂ３に対応して、それぞれシャッター１６７Ｅ２，１６７Ｅ３，１６７Ｅ４が設けられる構成としてもよい。
この場合、シャッター１６７Ｅ３，１６７Ｅ４を制御することで、側部吸引孔１６３Ｂ及び側部吸引孔１６４Ｂでの吸引力を制御することが可能となる。
【００９６】
上記実施形態では、中央保持板１６２を挟んで一対の第一吸引部が設けられる構成、つまり、中央保持板１６２の＋Ｘ側に第一移動保持板１６３が設けられ、−Ｘ側に第二移動保持板１６４が設けられる構成としたが、これに限られない。
例えば、図１３に示すような構成としてもよい。図１３は、本実施形態のさらに他の変形例におけるプラテン１６Ｃの概略構成を示す図である。
すなわち、中央保持板１６２のＸ方向に沿う一方側のみに、第一吸引部が設けられる構成としてもよい。図１３に示す例は、本発明の第一吸引部として、第二移動保持板１６４のみが設けられる構成例である。図１３では、第一移動保持板１６３や、第一吸引部移動手段１６３Ｃの構成が不要となるので、構成の簡略化を図ることができる。
なお、この場合、第二移動保持板１６４にメディアＡを吸引させて、第二移動保持板１６４を−Ｘ側に移動させると、メディアＡも−Ｘ側に移動するおそれがある。よって、例えば中央保持板１６２の一部（例えば＋Ｘ側端部）にメディアＡを位置決めする位置決め部材を設けることが好ましい。位置決め部材としては、例えば、メディアＡとプラテン１６側に押圧する押圧部材や、メディアＡの一端部を把持するクリップ等が挙げられる。
【００９７】
上記実施形態では、第一移動保持板１６３に設けられた側部吸引孔１６３Ｂ、第二移動保持板１６４に設けられた側部吸引孔１６４Ｂ、及び中央保持板１６２に設けられた中央吸引孔１６２Ｂにて、メディアＡを吸引させる構成を例示したが、これに限定されない。
例えば、第一移動保持板１６３や第二移動保持板１６４、中央保持板１６２のそれぞれに電極板を配置し、電極板に電圧を印加することで、メディアＡを吸引する構成（静電チャック）を用いてもよい。この場合、多孔質のメディアＡに対しても好適に吸引することができる。
【００９８】
上記実施形態では、メディアＡを第一移動保持板１６３や第二移動保持板１６４に吸着させる構成を例示したが、これに限定されない。
図１４は、本実施形態の更に他の変形例におけるプラテン１６Ｃの概略構成を示す断面図である。
図１４に示すように、第一移動保持板１６３に、メディアＡの＋Ｘ側の一端を固定する第一固定手段１６３Ｄを設け、第二移動保持板１６４に、メディアＡの−Ｘ側の一端を固定する第二固定手段１６４Ｄを設ける構成としてもよい。第一固定手段１６３Ｄや、第二固定手段１６４Ｄとしては、例えば、メディアＡをプラテン１６側に押圧する押圧部材であってもよく、メディアＡの端部を把持するクリップ等であってもよい。
このような構成でも、第一移動保持板１６３及び第二移動保持板１６４を互いに離隔する方向に移動させれば、メディアＡに対してＸ方向に作用する張力を付与することができ、皺や撓み、うねり等の凹凸を引き延ばして平坦面にすることができる。
【００９９】
ただし、この場合、第一移動保持板１６３及び第二移動保持板１６４の移動量によっては、メディアＡが破損する場合がある。よって、第一移動保持板１６３及び第二移動保持板１６４のいずれか一方においてメディアＡを固定し、他方においてメディアＡを吸引する構成としてもよい。
【０１００】
上記実施形態において、搬送ローラー１２１及び排出ローラー１２２の駆動を制御することで、メディアＡにＹ方向に沿った張力を付与する例を示したが、これに限定されない。
図１５は、本実施形態の更に他の変形例におけるプラテン１６Ｄの概略構成を示す図である。
図１５に示すように、中央保持板１６２の＋Ｙ側に、第三移動保持板１６０が配置する構成としてもよい。この第三移動保持板１６０は、例えば第一移動保持板１６３や第二移動保持板１６４と同様、吸引孔１６０Ｂを有し、Ｙ方向に沿って移動可能に設けられる。このような構成では、吸引孔１６０Ｂから空気とともにメディアＡを吸引してメディアＡの測定領域の＋Ｙ側を第三移動保持板１６０に密着させる。そして、メディアＡの上流側（−Ｙ側）を搬送ローラー１２１により固定しておき、第三移動保持板１６０を下流側（＋Ｙ側）に移動させる。これにより、上記第一移動保持板１６３や第二移動保持板１６４と同様に、メディアＡが第三移動保持板１６０に保持された状態でＹ方向に引っ張られ、Ｙ方向に沿った張力が付与される。
また、図１５に示す例では、中央保持板１６２の＋Ｙ側のみに第三移動保持板１６０を設ける構成を例示したが、中央保持板１６２の−Ｙ側に更に第四移動保持板を設け、第三移動保持板１６０と第四移動保持板とを互いに離隔する方向に移動させることで、メディアＡにＹ方向に沿う張力を付与してもよい。
【０１０１】
上記実施形態において、第一移動保持板１６３と第二移動保持板１６４の移動量ｘｍが同一である例を示したが、これに限定されない。Ｙ方向への張力付与についても、搬送ローラー１２１の搬送量と排出ローラー１２２の搬送量とを同一としたが、これに限定されない。
例えば、メディアＡの位置ずれが抑制されている場合等では、第一移動保持板１６３の移動量と第二移動保持板１６４の移動量とが異なっていてもよく、搬送ローラー１２１と排出ローラー１２２の搬送量が異なっていてもよい。
【０１０２】
メディアＡの位置ずれを抑制する構成としては、上述したように、メディアＡの一部を押圧部材によりプラテン１６側に押圧する構成やクリップ等で把持する構成が挙げられる。ただし、これらの押圧部材やクリップを設ける場合、キャリッジ１３の移動や、測色器１７による分光測定の邪魔になることがある。
これに対して、中央吸引孔１６２ＢによりメディアＡを吸引することで、メディアＡの位置決めを行ってもよい。しかしながら、張力付与ステップにおいて、中央保持板１６２に対してメディアＡを吸引させると、上記実施形態に比べて、メディアＡに発生した凹凸の引き伸ばしが困難となる。このような場合では、例えば側部吸引孔１６３Ｂ，１６４ＢにおけるメディアＡの吸引力を中央吸引孔１６２Ｂの吸引力よりも大きくし、第一移動保持板１６３や第二移動保持板１６４を移動させた際のメディアＡの摺動を抑制してもよい。例えば、図１１や図１２に示す変形例にて示したような構成を用いれば、各吸引孔１６２Ｂ，１６３Ｂ，１６４Ｂでの吸引力を容易に制御でき、それぞれ異なる吸引力に設定することができる。
また、シャッター１６７Ｅ２の移動量を制御して、中央吸引孔１６２Ｂにおける吸引力を制御してもよい。例えば、張力付与ステップにおいて、吸気貫通孔１６７Ｅ１の半数を閉塞して、弱い吸引力でメディアＡを吸引し、メディアＡの位置ずれを抑制し、測定ステップにおいて、全部の吸気貫通孔１６７Ｅ１を開放して強い吸引力でメディアＡを吸引してもよい。
【０１０３】
ところで、第一移動保持板１６３の移動量と第二移動保持板１６４の移動量とを同量とした場合、及び、搬送ローラー１２１による搬送量と排出ローラー１２２による搬送量とを同量とした場合でも、メディアＡが位置ずれする場合がある。
このような場合では、張力付与ステップにおけるメディアＡの位置ずれを検出することで、第一移動保持板１６３の移動量、第二移動保持板１６４の移動量、搬送ローラー１２１の回転量、排出ローラー１２２の回転量を制御してもよい。
例えば、キャリッジ１３に別途撮像装置を設け、メディアＡ上に印刷された基準マークの位置を監視し、基準マークの移動方向及び移動量に基づいて、第一移動保持板１６３の移動量、第二移動保持板１６４の移動量、搬送ローラー１２１の回転量、排出ローラー１２２の回転量を増減する。このような構成とすることで、メディアＡの位置ずれを抑制した、より精度の高い分光測定を実施できる。
【０１０４】
上記実施形態において、本発明の測定器として、波長可変干渉フィルターが組み込まれた測色器１７を例示したが、これに限定されない。
測定器としては、例えば、メディアＡの印刷面Ａ１の表面状態を検出すための各種センサーや、印刷面Ａ１を撮像する撮像装置等、印刷面Ａ１の情報を測定する各種測定器を用いることができる。
【０１０５】
上記実施形態において、キャリッジ１３の移動方向であるＸ方向、及びメディアＡの搬送方向であるＹ方向に沿って張力を付与する例を示したが、これに限定されない。例えば、中央保持板１６２の＋Ｘ側かつ＋Ｙ側に第一移動保持板、中央保持板１６２の＋Ｘ側かつ−Ｙ側に第二移動保持板、中央保持板１６２の−Ｘ側かつ＋Ｙ側に第三移動保持板、中央保持板１６２の−Ｘ側かつ−Ｙ側に第四移動保持板を配置する。そして、張力付与ステップにおいて、これらの第一移動保持板、第二移動保持板、第三移動保持板、及び第四移動保持板を互いに離隔する方向、つまり、中央保持板１６２の中心点から離隔する方向に移動させる。このような構成でも、中央保持板１６２に保持されるメディアＡの測定領域が、４方向に引き伸ばされることで、メディアＡの凹凸を引き延ばして平坦とすることができる。
また、メディアＡに付与する張力の方向としては、例えばＸ方向のみであってもよく、Ｙ方向のみであってもよい。また、測定器による測定方向に応じて張力の付与方向を適宜変更してもよい。
【０１０６】
上記実施形態では、密着ステップで、中央保持板１６２にメディアＡを密着保持させた状態で、測定ステップを実施する例を示したが、中央保持板１６２に中央吸引孔１６２Ｂが設けられず、中央保持面１６２ＡにメディアＡが密着されない構成としてもよい。この場合でも、第一移動保持板１６３や、第二移動保持板１６４、搬送ユニット１２等により構成される張力付与手段によりメディアＡに張力が付与されることで、測色に影響が出ない程度にメディアＡを平坦面に維持することができる。
【０１０７】
上記各実施形態において、キャリッジ移動ユニット１４によりキャリッジ１３をＸ方向に移動させる構成としたが、これに限定されない。例えば、メディアＡをＸ方向に搬送することで、印刷部１８による印刷位置や、測色器１７による測色位置をＸ方向に相対的に移動させてもよい。Ｙ方向に対しても同様であり、例えば、キャリッジ１３をＹ方向に移動させる構成などとしてもよい。
【０１０８】
その他、本発明の実施の際の具体的な構造は、本発明の目的を達成できる範囲で上記各実施形態及び変形例を適宜組み合わせることで構成してもよく、また他の構造などに適宜変更してもよい。
【符号の説明】
【０１０９】
１…プリンター（印刷装置）、５…波長可変干渉フィルター、１２…搬送ユニット、１３…キャリッジ、１４…キャリッジ移動ユニット、１５…制御ユニット、１６，１６Ａ，１６Ｂ，１６Ｃ，１６Ｄ…プラテン、１７…測色器（測定器）、１８…印刷部、１２１…搬送ローラー、１２１Ａ…第一駆動ローラー、１２１Ｂ…第一従動ローラー、１２２…排出ローラー、１２２Ａ…第二駆動ローラー、１２２Ｂ…第二従動ローラー、１５３…メモリ、１５４…ＣＰＵ、１５４Ａ…走査制御手段、１５４Ｂ…印刷制御手段、１５４Ｃ…測定制御手段、１５４Ｄ…測色演算手段、１５４Ｅ…キャリブレーション手段、１６０…第三移動保持板、１６０Ｂ…吸引孔、１６１…プラテン本体部、１６２…中央保持板、１６２Ａ…中央保持面、１６２Ｂ…中央吸引孔、１６３…第一移動保持板、１６３Ａ…第一移動保持面、１６３Ｂ…側部吸引孔、１６３Ｃ…第一吸引部移動手段、１６３Ｃ１…ソレノイド、１６３Ｃ２…可動芯、１６３Ｃ３…ピン、１６３Ｃ４…付勢部材、１６４…第二移動保持板、１６４Ａ…第二移動保持面、１６４Ｂ…側部吸引孔、１６４Ｃ…第二吸引部移動手段、１６４Ｃ１…ソレノイド、１６４Ｃ２…可動芯、１６４Ｃ３…ピン、１６４Ｃ４…付勢部材、１６６…メディア保持部、１６６Ａ…メディア保持面、１６６Ｂ…開口部、１６６Ｃ…板支持部、１６６Ｃ１…Ｘ側板支持部、１６７…吸気室、１６７Ａ…リブ（１６７Ａ１…第一リブ、１６７Ａ２…第二リブ）、１６７Ｂ…部分吸気室（１６７Ｂ１…第一部分吸気室、１６７Ｂ２…第二部分吸気室、１６７Ｂ３…第三部分吸気室）、１６７Ｃ…底面部、１６７Ｄ…正面部、１６７Ｅ…背面板、１６７Ｅ１…吸気貫通孔、１６７Ｅ２，１６７Ｅ３，１６７Ｅ４…シャッター、１６７Ｆ…側面部、１６８…集気室、１６８Ａ…集気室底面、１６８Ｂ…側壁、１６９…ダクト、１６９Ａ…吸気ファン。
【図１】
2017121997.tif 000003
【図２】
2017121997.tif 000004
【図３】
2017121997.tif 000005
【図４】
2017121997.tif 000006
【図５】
2017121997.tif 000007
【図６】
2017121997.tif 000008
【図７】
2017121997.tif 000009
【図８】
2017121997.tif 000010
【図９】
2017121997.tif 000011
【図１０】
2017121997.tif 000012
【図１１】
2017121997.tif 000013
【図１２】
2017121997.tif 000014
【図１３】
2017121997.tif 000015
【図１４】
2017121997.tif 000016
【図１５】
2017121997.tif 000017